(57)【要約】【課題】摺動部での摩擦抵抗を低減し、モータの耐久性が向上する支持台を提供することを目的とする。【解決手段】支持台１は、上部に上面開口１４を有した本体ケース３と、本体ケース３の上部に回動自在に設けられた回動体４と、本体ケース３内に設けられた回動体４を回動するモータ２１とを備えている。回動体４は、送風機２を支持する支持部５と、支持部５の下部から下方に延びた軸部１２と、回動体４の回動軸と同軸上に中心を有する円周上に支持部の下部から下方へ突出した複数の突起部３０とを備え、軸部１２は、上面開口１４に設けた第１の軸受け部２９に回動自在に支持され、突起部３０と本体ケース３の間にはレール部３１を備え、レール部３１は、本体ケース３より摩擦係数が小さい樹脂材料であることを特徴とする。【選択図】図６
2017172364.tif 000002
【特許請求の範囲】
【請求項１】
送風機を支持する支持台であって、
前記支持台は、
上部に上面開口を有した本体ケースと、
前記本体ケースの上部に回動自在に設けられた回動体と、
前記本体ケース内に設けられた前記回動体を回動するモータとを備え、
前記回動体は、
前記送風機を支持する支持部と、
前記支持部の下部から下方に延びた軸部と、
前記回動体の回動軸と同軸上に中心を有する円周上に前記支持部の下部から下方へ突出した複数の突起部とを備え、
前記軸部は、
前記上面開口に設けた第１の軸受け部に回動自在に支持され、
前記突起部と前記本体ケースの間にはレール部を備え、
前記レール部は、
前記本体ケースより摩擦係数が小さい樹脂材料であることを特徴とする支持台。
【請求項２】
前記第１の軸受け部はベアリングであり、
前記回動体の前記突起部と前記レール部との間に隙間を備え、
前記回動体が傾くと前記回動体の前記突起部と前記レール部とが接触することを特徴とする請求項１に記載の支持台。
【請求項３】
前記突起部は、
根元から先端に向かうにつれて小さくなることを特徴とする請求項１または２に記載の支持台。
【請求項４】
前記突起部は、
前記本体ケースより摩擦係数が小さい樹脂材料であり、前記レール部とは異なる材質であることを特徴とする請求項３に記載の支持台。
【請求項５】
前記突起部は、
前記支持部に回動自在に設けられた球体であることを特徴とする請求項１に記載の支持台。
【請求項６】
前記軸部は、
前記第１の軸受け部と、
前記第１の軸受け部より下方に設けられた第２の軸受け部とに支持されていることを特徴とする請求項１から５のいずれかに記載の支持台。
【請求項７】
前記軸部は、
前記第１の軸受け部と前記第２の軸受け部との間に歯車を備え、
前記歯車は前記モータによって回動することを特徴とする請求項６に記載の支持台。
【発明の詳細な説明】
【技術分野】
【０００１】
本発明は、例えば、送風により清涼感を与えたり空間内の空気循環を促したりする送風機を支持する支持台に関するものである。
【背景技術】
【０００２】
従来この種の支持台は、支持台の上部に送風機が置かれ、支持台の回動により送風機が回動し送風方向を変えるものが知られていた（例えば特許文献１参照）。
【０００３】
支持台は、モータを備えた本体ケースと、本体ケースの上方にモータによって回動する回動体とを備えている。回動体の上部には、球形の送風機を備えていた。
【先行技術文献】
【特許文献】
【０００４】
【特許文献１】特開２０１５−１７５３０９号公報
【発明の概要】
【発明が解決しようとする課題】
【０００５】
このような従来の支持台においては、支持台上部の回動体に送風機が置かれ、モータによって回動体が回動する。回動体が回動することにより、送風機も回動し、送風機からの送風方向が変化する。回動時に摺動部での摩擦抵抗が大きいと、モータの耐久性が低減するという課題を有していた。
【０００６】
そこで本発明は、摺動部での摩擦抵抗を低減し、円滑に回動し、モータの耐久性が向上する支持台を提供することを目的とする。
【課題を解決するための手段】
【０００７】
上述の目的を達成するために、本発明は、送風機を支持する支持台であって、前記支持台は、上部に開口を有した本体ケースと、前記本体ケースの上部に回動自在に設けられた回動体と、前記本体ケース内に設けられた前記回動体を回動するモータとを備え、前記回動体は、前記送風機を支持する支持部と、前記支持部の下部から下方に延びた軸部と、前記回動体の回動軸と同軸上に中心を有する円周上に前記支持部の下部から下方へ突出した複数の突起部とを備え、前記軸部は、前記開口に設けたベアリングに嵌められ、前記突起部と前記本体ケースの間にはレール部を備え、前記レール部は、前記本体ケースより摩擦係数が小さい樹脂材料であることを特徴とし、これにより所期の目的を達成するものである。
【発明の効果】
【０００８】
本発明に係る送風装置によれば、送風機を支持する支持台であって、前記支持台は、上部に開口を有した本体ケースと、前記本体ケースの上部に回動自在に設けられた回動体と、前記本体ケース内に設けられた前記回動体を回動するモータとを備え、前記回動体は、前記送風機を支持する支持部と、前記支持部の下部から下方に延びた軸部と、前記回動体の回動軸と同軸上に中心を有する円周上に前記支持部の下部から下方へ突出した複数の突起部とを備え、前記軸部は、前記開口に設けたベアリングに嵌められ、前記突起部と前記本体ケースの間にはレール部を備え、前記レール部は、前記本体ケースより摩擦係数が小さい樹脂材料であることを特徴とするものである。
【０００９】
このように、軸部は、開口に設けたベアリングに嵌められ、突起部と本体ケースの間にはレール部を備え、レール部は、本体ケースより摩擦係数が小さい樹脂材料であるので、回動体が回動する場合に発生する摩擦抵抗が低減し、円滑に回動し、モータの耐久性が向上する。
【図面の簡単な説明】
【００１０】
【図１】本発明の実施の形態１に係る送風機と支持台の外観図
【図２】同支持台の外観図
【図３】同支持台の断面図
【図４】同支持台の分解図
【図５】同支持台の断面図
【図６】同支持台の分解断面斜視図
【図７】同支持台の部分断面図
【図８】同支持台の回動体の斜視図
【図９】同支持台の回動体の斜視図
【図１０】同支持台の分解断面斜視図
【発明を実施するための形態】
【００１１】
（実施の形態１）
以下、添付図面を参照して、本発明の実施の形態につき説明し、本発明の理解に供する。
【００１２】
なお、以下の実施の形態は、本発明を具体化した一例であって、本発明の技術的範囲を限定する性格のものではない。また、全図面を通して、同一の部位については同一の番号を付している。さらに、各図面において、本発明に直接には関係しない各部の詳細については説明を省略している。
【００１３】
以下、本発明の実施の形態１に係る支持台について説明する。
【００１４】
図１は、本発明の実施の形態１に係る送風機と支持台の外観図である。図２は、本発明の実施の形態１に係る支持台の外観図である。
【００１５】
図１、２に示すように、支持台１の上部には、送風機２が置かれている。支持台１は、支持台１の下部には本体ケース３を備え、支持台１の上部には回動体４を備えている。回動体４は、本体ケース３の上において本体ケース３の下面と平行した面に対して回動自在に設けられている。回動体４の中央から中継コード２６が延び、本体ケース３の側面から電源コード２０が延びている。電源コード２０と中継コード２６とは、電気的に接続されている。
【００１６】
図３は、本発明の実施の形態１に係る支持台の断面図である。図４は、本発明の実施の形態１に係る支持台の分解図である。
【００１７】
図３、４に示すように、回動体４は、送風機２を支持する支持部５と、支持部の下部に固定された摺動部６とを備えている。
【００１８】
支持部５は、上方が開口した椀形状で、略円板形状の底板７と、底板７の周縁部から上方へ突出した凸部８とを備えている。底板７の中央には孔９を備え、孔９の下方には孔９の開口縁から下方に延びた一部が切り欠かれた筒形状の筒部１０を備えている。
【００１９】
摺動部６は、支持部５の底面に沿う上方が開口した椀形状で、中央には孔１１を備えている。摺動部６は、孔１１の開口縁から下方に延びた筒形状の軸部１２を備えている。支持部５の底面に摺動部６を固定すると、摺動部６の軸部１２内に、支持部５の筒部１０が入り、摺動部６の軸部１２の中心軸と、支持部５の筒部１０の中心軸とが同軸上に配置される構成である。
【００２０】
本体ケース３は、上面１３と下面（図示せず）が塞がれた略円筒形状で、下面から上面１３に向かうにつれて側面は内方へ傾斜する形状である。本体ケース３の上面１３の面積は下面の面積より小さく、円形状の上面１３の中央には、円形の上面開口１４を設けている。
【００２１】
上面開口１４には、円環形状のベアリング１５が、回転軸が上下方向となるように固定されている。ベアリング１５内には、回動体４の摺動部６から延びた軸部１２が嵌り、回動体４が本体ケース３の下面と平行した面に対して回動自在に支持される。
【００２２】
本体ケース３の側面には、円形の側面開口１６を設けている。側面開口１６からは、回転式のスイッチ１７のつまみ部１８が突出している。本体ケース３の側面下部から、後述する基板部１９と電気的に接続された電源コード２０が、本体ケース３の外方へ延びている。
【００２３】
図５は、本発明の実施の形態１に係る支持台の断面図である。
【００２４】
図３、５に示すように、本体ケース３内には、基板部１９と、モータ２１と、第１の歯車２２と、第２の歯車２３とを備えている。
【００２５】
基板部１９は、平板形状で、一方側の平面が側面開口１６に対向するように本体ケース３内に設けられている。一方側の平面には、側面開口１６に対向するように回転式のスイッチ１７が、固定されている。スイッチ１７は、基板部１９の一方側もしくは他方側のどちらか一平面、もしくは両平面に形成された導体パターン（図示せず）と電気的に接続されている。
【００２６】
スイッチ１７には、スイッチ１７から側面開口１６へ延びる棒状のスイッチシャフト２４を備えている。このスイッチシャフト２４は、スイッチ１７に対して回動し、スイッチシャフト２４の先端には回転軸は、側面開口１６の中心軸上に配置されている。スイッチシャフト２４には、つまみ部１８が装着され、つまみ部１８は側面開口１６から本体ケース３外へ突出している。
【００２７】
モータ２１は、本体ケース３内に回転軸２５が上下方向に向くように設けられ、回転軸２５には第１の歯車２２が固定されている。モータ２１は、第１の歯車２２が第２の歯車２３と組み合うように本体ケース３内の側面寄りに配置されている。モータ２１は、基板部１９の導体パターンと電気的に接続されている。
【００２８】
第２の歯車２３は、回動体４から延びた軸部１２に装着され、回動体４の回転軸上に、第２の歯車２３の回転中心が配置されている。第２の歯車２３の直径は、第１の歯車２２の直径より大きい。なお、第１の歯車２２および第２の歯車２３の一例は、樹脂材料で成型された平歯車である。
【００２９】
以上の構成の支持台の動作を説明する。つまみ部１８でスイッチ１７を操作すると、電源コード２０からモータ２１へ電圧が印加され、モータ２１が回動する。モータ２１が回動すると、第１の歯車２２が回動し、第１の歯車２２と組み合わさった第２の歯車２３も回動する。第２の歯車２３が回動すると、摺動部６の軸部１２を介して、送風機２を支持した回動体４が回動する。これにより支持台１の上に置かれた送風機２を回転させることができ、の送風方向を変化させることができる。
【００３０】
また、回動体４は、送風機２を支持する支持部５と、支持部５の下部に固定された摺動部６とを備えている。摺動部６は、摺動部６から下方に延びた軸部１２と、回動体４の回動軸と同軸上に中心を有する円周上に支持部の下部から下方へ突出した複数の突起部３０とを備えている。
【００３１】
図６は、本発明の実施の形態１に係る支持台の分解断面斜視図である。図７は、本発明の実施の形態１に係る支持台の部分断面図である。
【００３２】
図６、７に示すように、本実施の形態における特徴は、回動体４を回動自在に支持する構造である。具体的には、回動体４の軸部１２が、本体ケース３の上面開口１４に設けた第１の軸受け部２９に回動自在に支持され、回動体４の回動軸と同軸上に中心を有する円周上に支持部５の下部から下方へ突出した複数の突起部３０を備えている。突起部３０と本体ケース３の間には円環板形状のレール部３１を備え、このレール部３１が、本体ケース３より摩擦係数が小さい樹脂材料で形成している点である。一例として、本体ケース３の材質は、ＡＢＳ樹脂で、レール部３１の材質は、ポリブチレンテレフタレート樹脂やポリアセタール樹脂である。
【００３３】
このように、回動体４の軸部１２が、上面開口１４に設けた第１の軸受け部２９によって回動自在に支持されている。更に、突起部３０と本体ケース３の間にはレール部３１を備え、レール部３１は、本体ケース３より摩擦係数が小さい樹脂材料であるので、回動体４が回動する場合に、突起部３０とレール部３１とによって発生する摩擦抵抗が低減し、円滑に回動する。これにより、回動体４が、回動している途中で、突起部３０とレール部３１とが引っ掛かったとしても、摩擦抵抗が小さい為、滑らかな回転を持続できる。結果として、モータ２１の耐久性が向上する。
【００３４】
また、第１の軸受け部２９をベアリング１５とし、回動体４の突起部３０とレール部３１との間に隙間３２を備え、回動体４が傾くと回動体４の突起部３０とレール部３１とが接触する。
【００３５】
これにより、常に突起部３０とレール部３１とが当たらないので、摩擦抵抗が低減し、モータ２１の耐久性が向上する。また、回動体４に送風機２を置く場合に回動体４が傾くと、回動体４の突起部３０とレール部３１とが接触することで、それ以上回転体が傾かないため、ベアリング１５に余計な負荷がかからず、ベアリング１５の耐久性が向上する。
【００３６】
図８は、本発明の実施の形態１に係る支持台の回動体の斜視図である。図８に示すように、突起部３０は、根元（支持部５）から先端に向かうにつれて小さくなる。これにより、回動体４に荷重がかかった場合に、回動体４が回動する場合に発生する摩擦抵抗が低減し、モータ２１の耐久性が向上する。
【００３７】
また、突起部３０は、本体ケース３より摩擦係数が小さい樹脂材料であり、レール部３１とは異なる材質である。これにより、回動体４が回動する場合に発生する摩擦抵抗が低減し、モータ２１の耐久性が向上する。
【００３８】
図９は、本発明の実施の形態１に係る支持台の回動体の斜視図である。図９に示すように、突起部は、支持部５に回動自在に設けられた球体３３であってもよい。
【００３９】
これにより、回動体４が回動する場合に発生する摩擦抵抗が更に低減し、モータ２１の耐久性が向上する。
【００４０】
図１０は、本発明の実施の形態１に係る支持台の分解断面斜視図である。
【００４１】
図１０に示すように、回動体４の軸部１２は、第１の軸受け部２９と、第１の軸受け部２９より下方に設けられた第２の軸受け部３４とにより支持されている。具体的には、第２の軸受け部３４は、本体ケース３の上面１３に固定された軸受支持部３５に設けられている。軸受支持部３５は、軸方向が上下方向に延び、下端開口が塞がれた円筒形状である。軸受支持部３５の上端開口の外縁には、本体ケース３の上面１３と固定される固定部分３６を備えている。軸受支持部３５の下端開口を塞ぐ下端面３７には、第２の軸受け部３４が嵌る開口３８を備えている。第２の軸受け部３４は、下端面の開口内に嵌る円筒形状の筒部分３９と、筒部分３９の下端から外方に延びたフランジ部分４０とを備えている。軸部１２の下端には、固定部４１がねじ止めされている。第２の軸受け部３４は、第２の軸受け部３４の下に固定された固定部４１によって、開口３８に支持される。第２の軸受け部３４である筒部分３９とフランジ部分４０とは、樹脂材料で一体に形成している。樹脂材料の一例は、ポリブチレンテレフタレート樹脂、ポリアセタール樹脂である。
【００４２】
これにより、回動体４の軸部１２を、所定の距離を有して設けられた２つの軸受け部で支持されているので、回動体４に送風機２を置く場合に、回動体４の傾きが低減し、ベアリング１５に余計な負荷がかからず、ベアリング１５の耐久性が向上する。
【００４３】
また、支持部の上端開口縁は、レール部３１下方の本体ケース３の上面１３に配置されている。これにより、レール部３１を支持する本体ケース３の上面１３部分の剛性が向上し、回動体４に送風機２を置く場合に、回動体４が傾き、回動体４の突起部３０とレール部３１とが接触しても、本体ケース３の上面１３の変形を軽減できる。結果として、回動体４の回動体４の傾きが低減する。
【００４４】
また、回動体４の軸部１２は、第１の軸受け部２９と第２の軸受け部３４との間に第２の歯車２３（歯車）を備え、第２の歯車２３（歯車）は、モータ２１の回転軸２５に固定した第１の歯車２２によって回動する。
【００４５】
これにより、第１の軸受け部と第２の軸受け部との間に第２の歯車２３（歯車）が、モータ２１の回転軸２５に固定した第１の歯車２２と組み合わさり回動するので、回動体４の回動体４の傾きが低減し、ベアリング１５に余計な負荷がかからず、ベアリング１５の耐久性が向上する。
【産業上の利用可能性】
【００４６】
送風により清涼感を与えたり空間内の空気循環を促したりする送風機の支持台として有用である。
【符号の説明】
【００４７】
１    支持台
２    送風機
３    本体ケース
４    回動体
５    支持部
６    摺動部
７    底板
８    凸部
９    孔
１０    筒部
１１    孔
１２    軸部
１３    上面
１４    上面開口
１５    ベアリング
１６    側面開口
１７    スイッチ
１８    つまみ部
１９    基板部
２０    電源コード
２１    モータ
２２    第１の歯車
２３    第２の歯車
２４    スイッチシャフト
２５      回転軸
２６    中継コード
２９    第１の軸受け部
３０    突起部
３１    レール部
３２    隙間
３３    球体
３４    第２の軸受け部
３５    軸受支持部
３６    固定部分
３７    下端面
３８    開口
３９    筒部分
４０    フランジ部分
４１    固定部
【図１】
2017172364.tif 000003
【図２】
2017172364.tif 000004
【図３】
2017172364.tif 000005
【図４】
2017172364.tif 000006
【図５】
2017172364.tif 000007
【図６】
2017172364.tif 000008
【図７】
2017172364.tif 000009
【図８】
2017172364.tif 000010
【図９】
2017172364.tif 000011
【図１０】
2017172364.tif 000012